(57)【特許請求の範囲】
【請求項１】
ＬＥＤ光源と、
前記ＬＥＤ光源を覆うように配設されたカバーと、を備え、
前記ＬＥＤ光源から前記カバーを通して、出射される光の強度ムラが低減されるように、前記カバーの厚みの調整をしており、
前記カバーの厚みの調整は、前記ＬＥＤ光源から出射される光が前記カバーを通過する際に描くことになる前記カバー内の光路の長さを、前記カバーの略全体にわたって、略均一にするように行われていることを特徴とする照明器具。
【請求項２】
前記カバーは、幅方向に延びる形態をしており、
前記ＬＥＤ光源は、前記カバーに沿って前記幅方向に複数個が並設されており、
前記幅方向と直交する断面形状において、前記カバーの厚みの調整が行われていることを特徴とする請求項１に記載の照明器具。
【請求項３】
前記カバーには、光を出射する傾斜面部が設けられており、
前記傾斜面部の上部の内面と、前記ＬＥＤ光源と、の距離は、
前記傾斜面部の下部の内面と、前記ＬＥＤ光源と、の距離と相違していることを特徴とする請求項１及び請求項２のいずれか一項に記載の照明器具。
【請求項４】
請求項１から請求項３のいずれか一項に記載の照明器具を備えたことを特徴とする洗面化粧台。
【発明の詳細な説明】
【技術分野】
【０００１】
本発明は、照明器具、及びそれを備えた洗面化粧台に関する。
【背景技術】
【０００２】
近年、省電力化等を目的として、ＬＥＤ（Light Emitting Diode；発光ダイオード）を光源とする照明器具が普及しつつある。しかしながら、ＬＥＤ光源から発せられる光は強い直進性を有しているため、これを用いた照明器具では、出射される光に強度ムラを生じやすく、美観に劣る発光となってしまう。
【０００３】
このため、特許文献１のような照明器具が開示されている。特許文献１の照明装置は、ＬＥＤ光源（点状光源）、導光板、及び照明カバーを備えている。導光板は、ＬＥＤ光源の発光面前方に、ＬＥＤ光源から出射される光を入射可能に配置されている。照明カバーは、導光板を覆うように配置され、導光板から出射した光が透過する。このような照明器具の場合、ＬＥＤ光源から発せられる光は導光板の内部で拡散し、照明カバーの発光面における輝度ムラや、出射される光の強度ムラを低減することができる。
【先行技術文献】
【特許文献】
【０００４】
【特許文献１】特開２０１４−１７５２１４号公報
【発明の概要】
【発明が解決しようとする課題】
【０００５】
しかし、特許文献１の照明器具は、光の強度ムラを低減して美観を向上させた光を照射することは可能であるものの、導光板が必要であるため、その分コスト高であった。
【０００６】
本発明は、上記従来の実情に鑑みてなされたものであって、製造コストを抑制しつつ、強度ムラの低減された美観に優れた光を照射できる照明器具、及びそれを備えた洗面化粧台を提供することを解決すべき課題としている。
【課題を解決するための手段】
【０００７】
本発明の照明器具は、ＬＥＤ光源と、
前記ＬＥＤ光源を覆うように配されるカバーと、を備え、
前記ＬＥＤ光源から前記カバーを通して、出射される光の強度ムラが低減されるように、前記カバーの厚みの調整をしたことを特徴とする。
【０００８】
この照明器具は、ＬＥＤ光源からカバーを通して、出射される光の強度ムラが低減されるように、カバーの厚みの調整されている。このため、導光板等の部材を用いることなく、強度ムラの低減された美観に優れた光を照射することができ、コストの面で有利である。
【０００９】
本発明の洗面化粧台は、前記照明器具を備えたことを特徴とする。
この場合、照明器具は、導光板を用いることなく、強度ムラの低減された美観に優れた光を照射することができる。このため、本発明の洗面化粧台は、コストの面で有利である。
【図面の簡単な説明】
【００１０】
【図１】実施例１及び２の照明器具、及びそれを備えた洗面化粧台を示す正面図である。
【図２】実施例１及び２の照明器具、及びそれを備えた洗面化粧台を示す側面図である。
【図３】実施例１及び２の照明器具を示す斜視図である。
【図４】実施例１の照明器具の要部を示す概略断面図である。
【図５】実施例１及び２に係るＬＥＤ光源の配光曲線を示す図である。
【図６】実施例１の照明器具の要部を示す概略図である。
【図７】実施例２の照明器具の要部を示す概略図である。
【発明を実施するための形態】
【００１１】
本発明における好ましい実施の形態を説明する。
【００１２】
本発明の照明器具において、カバーの厚みの調整は、前記ＬＥＤ光源の配光曲線に基づいて行われ得る。この場合、略均一な強度分布で光を照射するなど、強度ムラの低減された光を容易に照射することができる。このため、導光板等の部材を用いることなく、強度ムラの低減された美観に優れた光を照射可能な照明器具を容易に実現できる。
【００１３】
本発明の照明器具において、前記カバーの厚みの調整は、前記ＬＥＤ光源から出射される光が前記カバーを通過する際の前記カバー内の光路の長さを、前記カバーの略全体にわたって、略均一にするように行われ得る。この場合、照射される光を、簡易な構成で調整できる。このため、導光板等の部材を用いることなく、強度ムラの低減された美観に優れた光を容易に照射することができる。
【００１４】
本発明の照明器具において、前記カバーは、幅方向に延びる形態をしており、
前記ＬＥＤ光源は、前記カバーに沿って前記幅方向に複数個が並設されており、
前記幅方向と直交する断面形状において、前記カバーの厚みの調整が行われ得る。この場合、幅方向に延びる形態の横長の照明器具であっても、導光板等の部材を用いることなく、強度ムラの低減された美観に優れた光を照射することができる。
【００１５】
本発明の照明器具において、前記カバーには、光を出射する傾斜面部が設けられており、前記傾斜面部の上部の内面と、前記ＬＥＤ光源と、の距離は、前記傾斜面部の下部の内面と、前記ＬＥＤ光源と、の距離と相違していることができる。この場合、傾斜面から出射された光によって、使用者の顔や手元を好適に照らすことができる。また、カバーの形状を自由に設定できる。例えば、厚みが均一な一般的なカバーの場合、光の強度ムラを低減しようとすると、光源からの距離等を考慮する必要があり、カバーの外形形状が制限されてしまう。しかしながら、本発明の照明器具においては、光の強度ムラの低減は、カバーの厚みを調整することにより行われている。従って、カバーの形状を自由に設定することができ、カバーの美観にも優れた照明器具を実現できる。
【００１６】
次に、本発明の照明器具、及びそれを備えた洗面化粧台を具体化した実施例１及び２について、図面を参照しつつ説明する。
【００１７】
＜実施例１＞
実施例１の洗面化粧台１は、図１及び図２に示すように、ベースキャビネット２、ミラーキャビネット３、及び照明器具４を備えている。ベースキャビネット２は、その上面部に、洗面器５、及び水洗器具６を備えている。ミラーキャビネット３は、ベースキャビネット２の奥側上部に設けられている。ミラーキャビネット３は、前面に鏡が取着された扉７を開くことにより、その内部の収納スペースにアクセス可能となっている。照明器具４は、ミラーキャビネット３の上端部に設けられている。
【００１８】
照明器具４は、図３及び図４に示すように、ＬＥＤ光源１０、及びカバー２０を備えている。図４に示すように、照明器具４は、略水平方向に延びるように形成された天板３０と、この天板の一端側から下方に延びるように形成された背板４０と、背板４０の下端部及び天板３０の他端側を結ぶように取り付けられたカバー２０と、に囲まれて形成される空間Ｒを有している。背板４０の空間Ｒ側の面は、水平方向よりもやや下方に向くように形成されている。
【００１９】
ＬＥＤ光源１０は、空間Ｒ内であって、背板４０の空間Ｒ側の面に取り付けられている。これにより、ＬＥＤ光源１０は、その発光面（照射面）Ｆが水平方向よりやや下方に向くようにされている。図３に示すように、ＬＥＤ光源１０は、幅方向に複数個が略等間隔で並んで配設されている。ＬＥＤ光源１０は、所謂表面実装型の素子を採用している。
【００２０】
カバー２０は、半透明の樹脂製である。カバー２０は、ＬＥＤ光源１０を覆うように、ＬＥＤ光源１０の光の出射方向前方に配設されている。また、カバー２０は、ＬＥＤ光源１０が並設されている方向（幅方向）に延びる形態で設けられている。
【００２１】
カバー２０は、傾斜面部２１、及び屈曲面部２２を備えている。傾斜面部２１は、ＬＥＤ光源１０の略鉛直下方位置から斜め上方へ緩やかに傾斜して延びる形態をなしている。傾斜面部２１は、上部の内面とＬＥＤ光源１０との距離が、下部の内面とＬＥＤ光源１０との距離と相違するように設けられている。換言すると、傾斜面部２１は、ＬＥＤ光源１０の発光面Ｆに対して傾斜している。具体的には、傾斜面部２１は、上部の内面よりも下部の内面のほうが、ＬＥＤ光源１０との距離が近くなるように傾斜して設けられている。また、カバー２０全体としても、上部の内面よりも下部の内面のほうがＬＥＤ光源１０との距離が近くなるような形態とされている。
【００２２】
カバー２０は、その厚みが不均一にされている。具体的には、カバー２０の厚みは、ＬＥＤ光源１０からカバー２０を通して、出射される光の強度ムラが低減されるように調整されている。このカバー２０の厚みの調整は、ＬＥＤ光源１０の配光曲線に基づいて行われている。
【００２３】
図５に本実施例１におけるＬＥＤ光源１０の配光曲線を示す。配光曲線は、放射状に出射される光の各方向における強度を示すものである。ＬＥＤ光源１０から出射される光の強度は、発光面Ｆに直交する方向である出射角度０°が最も強く、１０°、２０°、・・・（−１０°、−２０°、・・・）と角度が増加（減少）するに従って弱くなる。カバー２０は、ＬＥＤ光源１０の出射光の各角度における強度を考慮してその厚みが調整されている。なお、上記出射角度は、ＬＥＤ光源１０の発光面Ｆに直交する方向を出射角度０°としている。
【００２４】
具体的な厚みの調整は、各出射角度における光の強度をＩθ°、この光がカバー２０を通過する際のカバー２０内の光路長をＤθ°として、（Ｉ０°／Ｄ０°）＝（Ｉ１０°／Ｄ１０°）＝（Ｉ２０°／Ｄ２０°）＝（Ｉ３０°／Ｄ３０°）＝・・・となるようにされている。上述のように、ＬＥＤ光源１０の出射光の強度Ｉθ°は、Ｉ０°を最大として、Ｉ１０°＞Ｉ２０°＞Ｉ３０°＞・・・のように減少している。これに基づいて、カバー２０は、図６に示すように、各角度における出射光のカバー２０内の光路長Ｄθ°が、光の強度Ｉθ°の減少割合に応じて、Ｄ０°＞Ｄ１０°＞Ｄ２０°＞Ｄ３０°＞・・・と小さくなるように、その厚みが調整されている。すなわち、本実施例１において、カバー２０の厚みの調整は、通過する光の強度Ｉθ°と光路長Ｄθ°との比率Ｉθ°／Ｄθ°が略一定となるように行われている。
【００２５】
このような構成を有する照明器具４、及びそれを備えた洗面化粧台１は、次に示すようにＬＥＤ光源１０からの光を照射する。
【００２６】
ＬＥＤ光源１０からの光は、出射角度０°を中心として放射状に出射されるとともに、その強度は出射角度に応じて異なる分布を示している。カバー２０は、通過する光の強度と光路長との比率が略一定となるように、その厚みが調整されている。これにより、照明器具４は、カバー２０を通して出射される光の強度が、ＬＥＤ光源１０からの光の出射角度に拘わらず略一定となる。このため、導光板等の光の強度ムラを低減するための部材を用いることなく、略均一な光の照射を実現できる。
【００２７】
したがって、実施例１の照明器具４は、製造コストを抑制しつつ、強度ムラの低減された美観に優れた光を照射できる。また、実施例１の洗面化粧台１は、上記照明器具４を備えたことにより、コストの面で有利である。
【００２８】
＜実施例２＞
実施例２の照明器具４、及びそれを備えた洗面化粧台１は、カバーの厚みの調整方式が実施例１と相違する。このため、図７に示すように、実施例２のカバー１２０の厚みは実施例１のカバー２０の厚みとは異なっている。他の構成は実施例１と同様であり、同一の構成は同一の符号を付して詳細な説明を省略する。
【００２９】
この照明器具４、及びそれを備えた洗面化粧台１では、カバー１２０の厚みの調整は、ＬＥＤ光源１０から出射される光がカバー１２０を通過する際のカバー１２０内の光路長を、カバー１２０の略全体にわたって、略均一にするように行われている。換言すると、カバー１２０の厚みは、図７に示すように、ＬＥＤ光源１０からの光の強度に拘わらず、略一定の光路長ＤＣでカバー１２０を通過するように調整されている。すなわち、本実施例２において、カバー１２０の厚みの調整は、光がカバー１２０内を通過する際の光路長が略一定のＤＣとなるように行われている。なお、カバー１２０は、実施例１のカバー２０と略同一の外形形状を有しており、内面側で厚みを調整することにより、略一定の光路長ＤＣを実現している。
【００３０】
このような構成を有する照明器具４、及びそれを備えた洗面化粧台１は、次に示すようにＬＥＤ光源１０からの光を照射する。
【００３１】
ＬＥＤ光源１０からの光は、出射角度０°を中心として放射状に出射されるとともに、その強度は出射角度に応じて異なっている。カバー１２０は、この光がカバー１２０を通過する際の光路長が、光の強度に拘わらず、略均一になるようにその厚みを調整されている。これにより、光路長が異なることによる光の強度ムラが低減される。このため、照明器具４は、導光板等の部材を用いることなく、光の強度ムラが低減された光を照射することができる。
【００３２】
したがって、実施例２の照明器具４も、製造コストを抑制しつつ、強度ムラの低減された美観に優れた光を照射できる。また、実施例２の洗面化粧台１は、上記照明器具４を備えたことにより、コストの面で有利である。
【００３３】
本発明は上記記述及び図面によって説明した実施例に限定されるものではなく、例えば次のような実施例も本発明の技術的範囲に含まれる。
（１）実施例１では、カバーの厚みの調整を、通過する光の強度と光路長との比率が略一定となるようにしたが、通過する光の強度と光路長との比率が所定比率で変化するよう調整してもよい。これにより、所定勾配で変化する連続的な強度分布で光を照射可能な照明器具を実現できる。
（２）実施例１では、カバーの厚みの調整を、ＬＥＤ光源の配光曲線に基づいて行うようにしたが、これと併せて、カバーへの光の入射角度や出射角度、これらに応じたカバー内での光の拡散性等も考慮して調整してもよい。これにより、より均一な強度分布で光を照射可能な照明装置を実現できる。
（３）実施例１及び２では、部位によってＬＥＤ光源までの距離が異なるカバーを例示したが、ＬＥＤ光源までの距離が略等しいカバーであってもよい。
（４）実施例１及び２では、カバーの厚みの調整を、幅方向と直交する断面形状において行う例を示したが、カバーの幅方向（ＬＥＤ光源が並設されている方向方向）の断面形状においても厚みを調整するようにしてもよい。例えば、複数のＬＥＤ光源の並設されている場合、それらの間隔の広さによっては、カバーの幅方向において強度ムラが生じるおそれがある。このような場合、本発明のカバーの厚みの調整を幅方向において適用することにより、カバーの幅方向における光の強度ムラを低減することができる。
【符号の説明】
【００３４】
１…洗面化粧台
２…ベースキャビネット
３…ミラーキャビネット
４…照明器具
５…洗面器
６…水洗器具
７…扉
１０…光源
２０、１２０…カバー
２１…傾斜面部
２２…屈曲面部
３０…天板
４０…背板
Ｄθ°、ＤＣ…（カバー内の）光路長
Ｆ…（ＬＥＤ光源の）発光面
Ｉθ°…（ＬＥＤ光源からの光の）強度
Ｒ…（天板、背板、及びカバーにより囲まれた）空間
【図１】
0006679159.tif 000002
【図２】
0006679159.tif 000003
【図３】
0006679159.tif 000004
【図４】
0006679159.tif 000005
【図５】
0006679159.tif 000006
【図６】
0006679159.tif 000007
【図７】
0006679159.tif 000008